(57)【特許請求の範囲】
【請求項１】
風洞内で回転する軸流式の羽根車の回転を回転面において前記風洞の開口端に設けた回転検知センサーで検知するようにした送風装置であって、前記風洞の開口端の略中央を跨ぐ板金製のチャンネル状をしたセンサー取付部材を両持固定し、このセンサー取付部材のウェブ部中央に回転検知センサーを、前記羽根車に設けた検知プレートを検知できるように取付け、このセンサー取付部材によって前記風洞の開口端に設ける線状材でできた羽根ガードを受支えた送風装置。
【請求項２】
請求項１に記載の送風装置であって、センサー取付部材の両端に羽根ガードの位置を規定する位置決め構造を設けた送風装置。
【請求項３】
請求項２に記載の送風装置であって、センサー取付部材を、点対称に構成した送風装置。
【請求項４】
請求項１〜請求項３までのいずれかに記載の送風装置であって、センサー取付部材のウェブ部に送風方向と略直角に開口部を設けた送風装置。
【発明の詳細な説明】
【技術分野】
【０００１】
本発明は、羽根車の回転を検知する回転検知センサーを備えた軸流式の送風装置に関するものである。
【背景技術】
【０００２】
送風装置の中には、羽根車の回転を磁気センサー等の回転検知センサーで検知して制御情報として使ったり、温度センサーにより送風温度を検知して制御情報として使ったりするものがある。こうしたセンサーは、羽根車に近接して設けられる羽根ガードに直接、又はセンサー取付部材を介して取付けられている（なお、この種の従来技術としては特許文献１や特許文献２に示されている）。
【０００３】
【特許文献１】特開平６−３９６号公報
【特許文献２】実開平４−９５２６２号公報
【発明の開示】
【発明が解決しようとする課題】
【０００４】
従来のセンサー取付部材は、片持固定された板状の部材で、強度的にも弱く、自由端側にセンサーを取付けているため、センサー位置精度が維持でき難いので、羽根ガードに変位を規制する規制部を取付け、センサー取付部材の自由端側の変位を防いでいる。特に、羽根車の回転を検知する回転検知センサーでは、高い取付位置の精度が必要であり、もともと頑強な構造物ではない羽根ガードに取付位置の精度保持を求めても満足できる取付位置の精度確保はできなかった。
【０００５】
本発明は、上記した従来の問題点を解決するためになされたもので、回転検知センサーの取付位置の変位が殆どなく、回転検知センサーの取付位置の精度を高く維持できるとともに、必要な羽根ガードに対しても変形等を防ぐことができる送風装置を得ることであり、また、その送風装置の組付性、生産性の向上を図ることである。
【課題を解決するための手段】
【０００６】
上記目的を達成するために本発明は、風洞内で回転する軸流式の羽根車の回転を回転面において風洞の開口端に設けた回転検知センサーで検知するようにした送風装置について、風洞の開口端の略中央を跨ぐ板金製のチャンネル状をしたセンサー取付部材を両持固定し、このセンサー取付部材のウェブ部中央に回転検知センサーを、羽根車に設けた検知プレートを検知できるように取付け、センサー取付部材によって風洞の開口端に設ける線状材でできた羽根ガードを受支える手段を採用する。
【発明の効果】
【０００７】
本発明によれば、回転検知センサーを取付けるセンサー取付部材は、強度の高い板金製のチャンネル状で、両持固定されているので回転検知センサーは、高い精度の取付位置で維持される。そして、このセンサー取付部材に風洞の開口端に設ける線状材でできた羽根ガードを受支えるので、比較的変形し易い羽根ガードも保護される。
【発明を実施するための最良の形態】
【０００８】
本発明の送風装置は、羽根車の回転を検知する回転検知センサーを備えた軸流式の送風装置に関するものである。回転検知センサーは、風洞内で回転する軸流式の羽根車の回転を回転面において検知し、制御情報として制御回路に提供する。この回転検知センサーを取付けるセンサー取付部材は、風洞の開口端の略中央を跨ぐ（横断する）板金製のチャンネル状に構成され、両端部のウェブ部において両持固定されている。このセンサー取付部材のウェブ部中央に回転検知センサーが、羽根車に設けた検知プレートを検知できるように取付けられている。風洞の開口端には線状材でできた羽根ガードが設けられているが、この羽根ガードは、センサー取付部材のウェブ部で受支えられている。本発明によれば、回転検知センサーを取付けるセンサー取付部材は、強度の高い板金製のチャンネル状で、両持固定されているので回転検知センサーは、変位したりせず高い精度の取付位置で維持される。そして、このセンサー取付部材のウェブ部に風洞の開口端に設けられた線状材でできた羽根ガードが受支えられているので、比較的外力の作用等で変形し易い羽根ガードも補強され保護される。
【０００９】
実施の形態１．
図１は、本実施の形態の送風装置の分解斜視図、図２は、図１のＡ矢印部の拡大平面図、図３は、センサー取付部材の平面図、図４は、センサー取付部材の側面図、図５は、センサー取付部材の端面図、図６は、他の形態のセンサー取付部材の平面図である。
【００１０】
本実施の形態の送風装置は、羽根車１の回転を検知する回転検知センサー２を備えた軸流式の送風装置に関するものである。回転検知センサー２は、枠体３に保持された風洞４内で回転する軸流式の羽根車１の回転を回転面において検知し、制御情報として制御回路（図示しない）に提供するものである（図２参照）。この回転検知センサー２を取付けるセンサー取付部材５は、風洞４の開口端（この実施の形態では吸込側の開口端）の略中央を跨ぐ（横断する）板金製のチャンネル状に構成され、両端部のウェブ部において枠体３にネジ付けされ両持固定されている（図２，図１参照）。センサー取付部材５の両端は、図３，図４或いは図６に示すように羽根ガード６の位置を規定する位置決め構造７が設けられている。
【００１１】
位置決め構造７は、ウェブ部８を幅広にし、当該部にはフランジ部９を欠如した平板構造で、平板部の羽根カード６との当り面１０間の幅寸法は、図６に示すようにフランジ部９間の幅寸法より、羽根ガード６の線状材の間隔に相当する寸法分大きく構成されている。図３に示すものでは位置決め構造７は点対称に構成され、当り面１０は、一方の位置決め構造７の当り面１０は一面で、他方の位置決め構造７の当り面１０とは反対側に位置している。この構成により組付け時の取付け間違いを防止でき、生産性の向上を図ることができる。センサー取付部材５のウェブ部８には、送風方向と略直角に開口部１１が設けられ、センサー取付部材５の装着による圧力損失の増加が防がれている。この開口部１１は、人の指が入らない程度の大きさで、安全性の配慮もされている。
【００１２】
このセンサー取付部材５のウェブ部８中央に回転検知センサー２が、羽根車１に設けた検知プレート１２を検知できるように図２に示すようにネジで確り取付けられている。風洞４の開口端、実質上は枠体３の開放端には、線状材でできた羽根ガード６が設けられているが、この羽根ガード６は、センサー取付部材５のウェブ部８で受支えられている。即ち、センサー取付部材５をネジ固定した後、羽根ガード６をセンサー取付部材５における位置決め構造７の当り面１０に確り当て、この位置で羽根ガード６をネジ固定する。これにより、羽根ガード６自体も精度良く取付けることができ、無理にネジ込み箇所を合わせ羽根ガード６の変形等を招くような不都合を回避することができる。
【００１３】
この実施の形態によれば、回転検知センサー２を取付けるセンサー取付部材５は、強度の高い板金製のチャンネル状で、両持固定されているので回転検知センサー２は、変位したりせず高い精度の取付位置で維持される。そして、このセンサー取付部材５のウェブ部８に風洞４（枠体３）の開口端に設けられた線状材でできた羽根ガード６が受支えられているので、比較的外力の作用等で変形し易い羽根ガード６も補強され保護される。
【図面の簡単な説明】
【００１４】
【図１】送風装置の分解斜視図である。（実施の形態１）
【図２】図１のＡ矢印部の拡大平面図である。（実施の形態１）
【図３】センサー取付部材の平面図である。（実施の形態１）
【図４】センサー取付部材の側面図である。（実施の形態１）
【図５】センサー取付部材の端面図である。（実施の形態１）
【図６】他の形態のセンサー取付部材の平面図である。（実施の形態１）
【符号の説明】
【００１５】
１  羽根車、  ２  回転検知センサー、  ４  風洞、  ５  センサー取付部材、  ６  羽根ガード、  ７  位置決め構造、  ８  ウェブ部、  １１  開口部、  １２  検知プレート。
【図１】
0004973505.tif 000002
【図２】
0004973505.tif 000003
【図３】
0004973505.tif 000004
【図４】
0004973505.tif 000005
【図５】
0004973505.tif 000006
【図６】
0004973505.tif 000007